(57)【要約】【課題】前面が開口した直方体形状を有する箱ユニット１１，２１，２２，２４，２５を上下方向及び／又は左右方向に複数個連結する収納棚であって、箱ユニット１１，２１，２２２４，２５の連結作業が容易な収納棚１０，２０，３０を提供することを目的とする。【解決手段】床面１５に箱ユニット１１を置き、その上に別の箱ユニット１１を積み重ね、下の箱ユニット１１の上面１１ａの凹部１１ｅと、積み重ねた箱ユニット１１の下面１１ｂの凹部１１ｅで区画形成された穴１６にジョイナー１２を差し込んで上下二つの箱ユニット１１を連結する。床面１５に二つの箱ユニット１１を左右に並べ、左側の箱ユニット１１の右側面の凹部１１ｅと右側の箱ユニット１１の左側面の凹部１１ｅで区画形成された穴１６にジョイナー１２を差し込むことで、両箱ユニット１１を左右方向に連結する。【選択図】図１
2020092756.tif 000002
【特許請求の範囲】
【請求項１】
前面が開口した直方体形状を有する箱ユニットを上下方向及び／又は左右方向に複数個連結して構成した収納棚であって、
箱ユニットの上下両面及び左右両面の各面に各面の前端から後端に達する１本又は複数本の蟻溝状の凹部を形成し、
二つの箱ユニットを上下に積み重ね、下の箱ユニットの上面の凹部と上の箱ユニットの下面の凹部で区画形成された穴に、２本の蟻ほぞ状の凸条を一体にした形状を有するジョイナーを差し込むことで、上下二つの箱ユニットを連結し、
若しくは、二つの箱ユニットを左右に並べ、左側の箱ユニットの右側面の凹部と右側の箱ユニットの左側面の凹部で区画形成された穴にジョイナーを差し込むことで、左右の箱ユニットを連結したことを特徴とする収納棚。
【請求項２】
前面が開口した直方体形状を有する箱ユニットを上下方向及び／又は左右方向に複数個連結して構成した収納棚であって、
箱ユニットの上下両面及び左右両面の各面に各面の前端面に開口する１個又は複数個の蟻溝状の前側の凹部と、各面の後端面に開口する１個又は複数個の後側の凹部を形成し、
二つの箱ユニットを上下に積み重ね、下の箱ユニットの上面の前側の凹部と上の箱ユニットの下面の前側の凹部で区画形成された穴と、下の箱ユニットの上面の後側の凹部と上の箱ユニットの下面の後側の凹部で区画形成された穴に、２本の蟻ほぞ状の凸条を一体にした形状を有するジョイナーを差し込むことで、上下二つの箱ユニットを連結し、
若しくは、二つの箱ユニットを左右に並べ、左側の箱ユニットの右側面の前側の凹部と右側の箱ユニットの左側面の前側の凹部で区画形成された穴と、左側の箱ユニットの右側面の後側の凹部と右側の箱ユニットの左側面の後側の凹部で区画形成された穴にジョイナーを差し込むことで、左右の箱ユニットを連結したことを特徴とする収納棚。
【請求項３】
収納棚の上面及び／又は側面に露出する凹部に蟻ほぞ状の埋め合わせ用凸条を嵌合して収納棚の上面及び／又は側面を面一にしたことを特徴とする請求項１又は請求項２に記載の収納棚。
【請求項４】
前面が開口した直方体形状を有し、上下方向及び／又は左右方向に複数個連結して収納棚を構成する箱ユニットであって、
上下両面及び左右両面の各面に各面の前端から後端に達する１本又は複数本の蟻溝状の凹部を形成したことを特徴とする箱ユニット。
【請求項５】
前面が開口した直方体形状を有し、上下方向及び／又は左右方向に複数個連結して収納棚を構成する箱ユニットであって、
上下両面及び左右両面の各面に各面の前端面に開口する１個又は複数個の蟻溝状の前側の凹部と、各面の後端面に開口する１個又は複数個の後側の凹部を形成したことを特徴とする箱ユニット。
【請求項６】
前面が開口した直方体形状を有し、上下両面及び左右両面の各面に各面の前端から後端に達する蟻溝状の凹部を形成した一の箱ユニットと、他の箱ユニットを上下方向及び／又は左右方向に連結して収納棚を構成するジョイナーであって、
二つの箱ユニットを上下に積み重ね、下の箱ユニットの上面の凹部と上の箱ユニットの下面の凹部で区画形成された穴に、
若しくは、二つの箱ユニットを左右に並べ、左側の箱ユニットの右側面の凹部と右側の箱ユニットの左側面の凹部で区画形成された穴に嵌合するように、
凹部に嵌合する蟻ほぞ状の２本の凸条を一体にした形状を有することを特徴とするジョイナー。
【請求項７】
前面が開口した直方体形状を有し、上下両面及び左右両面の各面に各面の前端面に開口する１個又は複数個の蟻溝状の前側の凹部と、各面の後端面に開口する１個又は複数個の後側の凹部を形成した一の箱ユニットと、他の箱ユニットを上下方向及び／又は左右方向に連結して収納棚を構成するジョイナーであって、
二つの箱ユニットを上下に積み重ね、下の箱ユニットの上面の凹部と上の箱ユニットの下面の凹部で区画形成された穴に、
若しくは、二つの箱ユニットを左右に並べ、左側の箱ユニットの右側面の凹部と右側の箱ユニットの左側面の凹部で区画形成された穴に嵌合するように、
凹部に嵌合する蟻ほぞ状の２本の凸条を一体にした形状を有することを特徴とするジョイナー。
【発明の詳細な説明】
【技術分野】
【０００１】
本発明は収納棚に関する。
【背景技術】
【０００２】
収納棚の一形式として、特開２００５−２３７６７１号公報には、前面が開口した直方体形状を有する箱ユニットを上下方向と左右方向に複数個連結して構成した収納家具が開示されている。
【先行技術文献】
【特許文献】
【０００３】
【特許文献１】特開２００５−２３７６７１号公報
【発明の概要】
【発明が解決しようとする課題】
【０００４】
上記した従来の収納家具で用いられている箱ユニットは、上面の左右両端の角部に蟻溝状の凹部が形成され、下面の左右両端の角部に蟻ほぞ状の凸部を形成されている。そして、箱ユニットの凹部に他の箱ユニットの凸部を嵌合することにより複数個の箱ユニットを上下方向に連結している。
また、左右両端の角部に蟻ほぞ状の凸部を形成した連結板と、左右両端の角部に蟻溝状の凹部を形成した連結板を用い、連結板の凸部を箱ユニット上面の凹部に嵌合し、連結板の凹部に箱ユニットの下面の凸部を嵌合して複数個の箱ユニットを左右方向に連結している。
【０００５】
従来の収納家具では、複数個の箱ユニットを上下に連結するとき、下の箱ユニットの上面の凹部に上の箱ユニットの下面の凸部が嵌合するように箱ユニットを積み上げるが、左右両端の角部に形成されている凹部と凸部を嵌合させるには、慎重に箱ユニットを積み上げる必要があり、とりわけ、ユニットが重い場合、あるいは嵩張る場合、箱ユニットの上下方向の連結作業は甚だ面倒で手間がかかる。
同様に、連結板で箱ユニットを左右方向に連結する作業も箱ユニットの上面の左右両端の角部に形成した凹部に連結板の凸部を嵌合し、箱ユニットの下面の左右両端の角部に形成した凸部に連結板の凹部を嵌合させるので、面倒で手間がかかる。
本発明はかかる問題点に鑑み、前面が開口した直方体形状を有する箱ユニットを上下方向及び／又は左右方向に複数個連結する収納棚であって、箱ユニットの連結作業が容易な収納棚を提供することを目的とする。
また、前面が開口した直方体形状を有し、上下方向及び／又は左右方向に複数個連結して収納棚を構成する箱ユニットであって、連結作業が容易な箱ユニットを提供することを目的とする。
【課題を解決するための手段】
【０００６】
請求項１に記載の発明は、
前面が開口した直方体形状を有する箱ユニットを上下方向及び／又は左右方向に複数個連結して構成した収納棚であって、
箱ユニットの上下両面及び左右両面の各面に各面の前端から後端に達する１本又は複数本の蟻溝状の凹部を形成し、
二つの箱ユニットを上下に積み重ね、下の箱ユニットの上面の凹部と上の箱ユニットの下面の凹部で区画形成された穴に、２本の蟻ほぞ状の凸条を一体にした形状を有するジョイナーを差し込むことで、上下二つの箱ユニットを連結し、
若しくは、二つの箱ユニットを左右に並べ、左側の箱ユニットの右側面の凹部と右側の箱ユニットの左側面の凹部で区画形成された穴にジョイナーを差し込むことで、左右の箱ユニットを連結したことを特徴とする。
【０００７】
請求項２に記載の発明は、
前面が開口した直方体形状を有する箱ユニットを上下方向及び／又は左右方向に複数個連結して構成した収納棚であって、
箱ユニットの上下両面及び左右両面の各面に各面の前端面に開口する１個又は複数個の蟻溝状の前側の凹部と、各面の後端面に開口する１個又は複数個の後側の凹部を形成し、
二つの箱ユニットを上下に積み重ね、下の箱ユニットの上面の前側の凹部と上の箱ユニットの下面の前側の凹部で区画形成された穴と、下の箱ユニットの上面の後側の凹部と上の箱ユニットの下面の後側の凹部で区画形成された穴に、２本の蟻ほぞ状の凸条を一体にした形状を有するジョイナーを差し込むことで、上下二つの箱ユニットを連結し、
若しくは、二つの箱ユニットを左右に並べ、左側の箱ユニットの右側面の前側の凹部と右側の箱ユニットの左側面の前側の凹部で区画形成された穴と、左側の箱ユニットの右側面の後側の凹部と右側の箱ユニットの左側面の後側の凹部で区画形成された穴にジョイナーを差し込むことで、左右の箱ユニットを連結したことを特徴とする。
【０００８】
請求項３に記載の発明は、請求項１又は請求項２に記載の収納棚において、収納棚の上面及び／又は側面に露出する凹部に蟻ほぞ状の埋め合わせ用凸条を嵌合して収納棚の上面及び／又は側面を面一にしたことを特徴とする。
【０００９】
請求項４に記載の発明は、
前面が開口した直方体形状を有し、上下方向及び／又は左右方向に複数個連結して収納棚を構成する箱ユニットであって、
上下両面及び左右両面の各面に各面の前端から後端に達する１本又は複数本の蟻溝状の凹部を形成したことを特徴とする。
【００１０】
請求項５に記載の発明は、
前面が開口した直方体形状を有し、上下方向及び／又は左右方向に複数個連結して収納棚を構成する箱ユニットであって、
上下両面及び左右両面の各面に各面の前端面に開口する１個又は複数個の蟻溝状の前側の凹部と、各面の後端面に開口する１個又は複数個の後側の凹部を形成したことを特徴とする。
【００１１】
請求項６に記載の発明は、
前面が開口した直方体形状を有し、上下両面及び左右両面の各面に各面の前端から後端に達する蟻溝状の凹部を形成した一の箱ユニットと、他の箱ユニットを上下方向及び／又は左右方向に連結して収納棚を構成するジョイナーであって、
二つの箱ユニットを上下に積み重ね、下の箱ユニットの上面の凹部と上の箱ユニットの下面の凹部で区画形成された穴に、
若しくは、二つの箱ユニットを左右に並べ、左側の箱ユニットの右側面の凹部と右側の箱ユニットの左側面の凹部で区画形成された穴に嵌合するように、
凹部に嵌合する蟻ほぞ状の２本の凸条を一体にした形状を有することを特徴とする。
【００１２】
請求項７に記載の発明は、
前面が開口した直方体形状を有し、上下両面及び左右両面の各面に各面の前端面に開口する１個又は複数個の蟻溝状の前側の凹部と、各面の後端面に開口する１個又は複数個の後側の凹部を形成した一の箱ユニットと、他の箱ユニットを上下方向及び／又は左右方向に連結して収納棚を構成するジョイナーであって、
二つの箱ユニットを上下に積み重ね、下の箱ユニットの上面の凹部と上の箱ユニットの下面の凹部で区画形成された穴に、
若しくは、二つの箱ユニットを左右に並べ、左側の箱ユニットの右側面の凹部と右側の箱ユニットの左側面の凹部で区画形成された穴に嵌合するように、
凹部に嵌合する蟻ほぞ状の２本の凸条を一体にした形状を有することを特徴とする。
【発明の効果】
【００１３】
本発明によれば、箱ユニットの上に別の箱ユニットを積み重ねてから、下の箱ユニットの上面の凹部と上の箱ユニットの下面の凹部で区画形成された穴にジョイナーを差し込むことで、両箱ユニットを上下方向に連結する。
また、箱ユニットの横に別の箱ユニットを並べ、左側の箱ユニットの右側面の凹部と右側の箱ユニットの左側面の凹部で区画形成された穴にジョイナーを差し込むことで、両箱ユニットを左右方向に連結する。
このように、隣接する２個の箱ユニットの凹部で区画形成された穴にジョイナーを差し込むだけで、複数個の箱ユニットを上下及び／又は左右方向に連結できるので、箱ユニットが重くても、また嵩張っていても連結作業を容易に実施できる。
【００１４】
また、箱ユニットの上面及び／又は側面の凹部に蟻ほぞ状の埋め合わせ用凸条を嵌合して収納棚の上面及び／又は側面を面一にするので、収納棚の見栄えを良くすることができる。
【図面の簡単な説明】
【００１５】
【図１】本発明の実施例に係る収納棚を示す正面図である。
【図２】本発明の実施例に係る箱ユニットを示す斜視図である。
【図３】本発明の実施例に係るジョイナーを示す斜視図である。
【図４】本発明の実施例に係る埋め合わせ用凸条を示す斜視図である。
【図５】同箱ユニットの上下２個の連結を示す正面図である。
【図６】同箱ユニットの左右２個の連結を示す正面図である。
【図７】本発明の他の実施例に係る収納棚を示す正面図である。
【図８】本発明の他の実施例に係る２個の箱ユニットを示す正面図である。
【図９】本発明の他の実施例に係る箱ユニットを示す斜視図である。
【図１０】同箱ユニットを構成する木質板を示す斜視図である。
【図１１】同箱ユニットの左右２個の連結を示す正面図である。
【図１２】本発明の他の実施例に係る箱ユニットを示す斜視図である。
【図１３】本発明の他の実施例に係る収納棚を示す斜視図である。
【図１４】本発明の他の実施例に係る箱ユニットを示す斜視図である。
【図１５】本発明の他の実施例に係るジョイナーを示す斜視図である。
【図１６】本発明の他の実施例に係る埋め合わせ用凸条を示す斜視図である。
【実施例１】
【００１６】
以下に本発明を図面に基づき説明する。図１には本発明の第１実施例に係る収納棚１０が示されている。この収納棚１０は複数個の箱ユニット１１と、箱ユニット１１を連結するジョイナー１２及び埋め合わせ用凸条１３から成り、箱ユニット１１を上下方向及び左右方向に連結して構成されている。
【００１７】
各箱ユニット１１は樹脂成型品であり、図２に示すように、前面が開口した直方体の形状を有し、箱ユニット１１の上下両面１１ａ、１１ｂ及び左右両面１１ｃ、１１ｄの各面の中央部に各面の前端から後端に達する蟻溝状の凹部１１ｅが形成されている。
【００１８】
図３に示すように、ジョイナー１２は凹部１１ｅに嵌合する蟻ほぞ状の２本の凸条１２ａ、１２ｂを一体にした形状を有する。
また、図４に示すように、埋め合わせ用凸条１３は凹部１１ｅに嵌合する蟻ほぞ状の形状を有する。
【００１９】
収納棚１０を組み立てるに際し、図５に示すように、床面１５に箱ユニット１１を置き、その上に別の箱ユニット１１を積み重ね、下の箱ユニット１１の上面１１ａの凹部１１ｅと、積み重ねた箱ユニット１１の下面の凹部１１ｅで区画形成された穴１６にジョイナー１２を差し込んで上下二つの箱ユニット１１を連結する。
【００２０】
また、図６に示すように、床面１５に二つの箱ユニット１１を左右に並べ、左側の箱ユニット１１の右側面の凹部１１ｅと右側の箱ユニット１１の左側面の凹部１１ｅで区画形成された穴１６にジョイナー１２を差し込むことで、両箱ユニット１１を左右方向に連結する。
【００２１】
収納棚１０は上述したように箱ユニット１１を上下方向に４個重ねて連結し、左右方向に３個並べて連結することにより構成されている。そして、収納棚１０の左右側面に露出している凹部１１ｅ及び上面に露出している凹部１１ｅに埋め合わせ用凸条１３を差し込んで収納棚１０の左右両側面及び上面を面一にしている。
【００２２】
上述した収納棚１０は上下４段、左右３列の連結パターンで構成したが、図７に示す収納棚２０では、箱ユニット１１を４段重ねた左右の縦列の最上段の箱ユニット１１を２個の箱ユニット１１で連結し、左右の縦列の最下段の箱ユニット１１を２個の箱ユニット１１で連結し、中央部に空所２０ａを形成している。このように複数の箱ユニット１１を、ジョイナー１２を用いて連結することにより様々な形態の収納棚２０を構成することができる。
【００２３】
本実施例に係る収納棚１０、２０によれば、箱ユニット１１の上に別の箱ユニット１１を積み重ねてから、下の箱ユニット１１の上面の凹部１１ｅと上の箱ユニット１１の下面の凹部１１ｅで区画形成された穴１６にジョイナー１２を差し込むことで、両箱ユニット１１を上下方向に連結する。
また、箱ユニット１１の横に別の箱ユニット１１を並べ、左側の箱ユニット１１の右側面の凹部１１ｅと右側の箱ユニット１１の左側面の凹部１１ｅで区画形成された穴１６にジョイナー１２を差し込むことで、両箱ユニット１１を左右方向に連結する。
このように、隣接する２個の箱ユニット１１の凹部１１ｅで区画形成された穴１６にジョイナー１２を差し込むだけで、複数個の箱ユニット１１を上下及び／又は左右方向に連結できるので、箱ユニット１１が重くても、また嵩張っていても連結作業を容易に実施できる。
【００２４】
箱ユニット１１の上面及び側面の凹部１１ｅに蟻ほぞ状の埋め合わせ用凸条１３を嵌合して収納棚１０の上面及び側面を面一にするので、収納棚１０、２０の見栄えを良くすることができる。
【実施例２】
【００２５】
上記実施例に係る収納棚１０、２０では断面形状が正方形の箱ユニット１１を用いたが、図８に示す箱ユニット２１のように断面形状が長方形の箱ユニット２１を用いてジョイナー１２で連結し、収納棚１０、２０を構成することもできる。
【実施例３】
【００２６】
また、収納棚１０、２０では樹脂成型品の箱ユニット１１を用いたが、図９に示す木質材製の箱ユニット２２を用いることもできる。この箱ユニット２２、上下両面２２ａ、２２ｂ及び左右両面２２ｃ、２２ｄは、図１０に示す木質板２３を４枚組み合わせて構成されている。この木質板２３には蟻溝状の凹部２３ｅが形成されている。凹部２３ｅは４枚の木質板２３を組み合わせて箱ユニット２２を構成したとき、それぞれ上面２２ａ、下面２２ｂ、左側面２２ｃ、右側面２２ｄの中央部に位置するように設けられている。
図１１に示すように、この箱ユニット２２も箱ユニット１１と同様にジョイナー１２を用いて連結することができる。
【実施例４】
【００２７】
上記箱ユニット１１、２１、２２では、各面に、各面の前端から後端に達する１本の蟻溝状の凹部１１ｅを形成したが、図１２に示す箱ユニット２４のように各面に２本の蟻溝状の凹部１１ｅが形成されている。また、この箱ユニット２４の内部には仕切板２４ａが設けられている。
【００２８】
図１３に、この箱ユニット２４を複数個連結して構成した収納棚３０を示す。床面に箱ユニット２４を左右に並べ、左側の箱ユニット２４の右側面の凹部１１ｅと右側の箱ユニット２４の左側面の凹部１１ｅで区画形成された穴にジョイナー１２を差し込むことで、両箱ユニット２４を左右方向に連結している。そして、箱ユニット２４の上面及び側面の凹部１１ｅに埋め合わせ用凸条１３を嵌合して収納棚３０の上面及び側面を面一にしている。
本実施例に示されるように、箱ユニット２４はその前後方向の中心線を軸にして１８０度回転することで上下を反転し、あるいは９０度回転して連結することができる。
また、箱ユニットはその上下方向の中心線を軸にして１８０度回転させることにより、前後を反転させることもできる。そのため、複数の箱ユニットの一部を前後反転し、部屋の間仕切りとすることで、前方からも後方からも利用できる収納棚となる。
また、各面に複数本の凹部１１ｅを設けたので隣接する箱ユニット２４が強固に連結される。
【実施例５】
【００２９】
上記した箱ユニット１１、２１、２２、２４では各面に前端から後端に達する蟻溝状の凹部１１ｅを形成したが、図１４に示す箱ユニット２５では、各面に各面の前端面に開口する２個の蟻溝状の前側の凹部２５ａと、各面の後端面に開口する２個の後側の凹部２５ｂが形成されている。
この箱ユニット２５は図１５に示す短尺のジョイナー２６を隣接する箱ユニット２５の二つの前側の凹部２５ａで区画形成された穴及び二つの後側の凹部２５ｂで区画形成された穴に差し込むことにより、隣接する箱ユニット２５を連結できる。
また、図１６に示す短尺の埋め合わせ用凸条２７を凹部２５ａ、２５ｂに嵌合することで収納棚を構成したときに露出する箱ユニット２５の面を面一にできる。
【符号の説明】
【００３０】
１０…収納棚
１１…箱ユニット
１１ａ…上面
１１ｂ…下面
１１ｃ…左側面
１１ｄ…右側面
１１ｅ…凹部
１２…ジョイナー
１２ａ、１２ｂ…蟻ほぞ状の凸条
１３…埋め合わせ用凸条
１５…床面
１６…穴
２０…収納棚
２１…箱ユニット
２２…箱ユニット
２２ａ…上面
２２ｂ…下面
２２ｃ…左側面
２２ｄ…右側面
２３…木質板
２３ｅ…凹部
２４…箱ユニット
２５…箱ユニット
２５ａ…前側の凹部
２５ｂ…後側の凹部
２６…ジョイナー
２７…埋め合わせ用凸条
３０…収納棚
【図１】
2020092756.tif 000003
【図２】
2020092756.tif 000004
【図３】
2020092756.tif 000005
【図４】
2020092756.tif 000006
【図５】
2020092756.tif 000007
【図６】
2020092756.tif 000008
【図７】
2020092756.tif 000009
【図８】
2020092756.tif 000010
【図９】
2020092756.tif 000011
【図１０】
2020092756.tif 000012
【図１１】
2020092756.tif 000013
【図１２】
2020092756.tif 000014
【図１３】
2020092756.tif 000015
【図１４】
2020092756.tif 000016
【図１５】
2020092756.tif 000017
【図１６】
2020092756.tif 000018